(57)【要約】【課題】キーやピンタンブラーなどの摩耗や破損を低減することができ、不正キーによる不正解錠を防止することができるピンタンブラー錠を提供する。【解決手段】ピン孔３１を有した外筒３と、内側にキー挿入孔２１とタンブラー挿入孔２２を有した内筒２と、内筒のタンブラー挿入孔に挿入されるピンタンブラー４と、外筒のピン孔に挿入されるドライブピン５と、ピン孔内に挿入されドライブピンを内側に付勢するコイルばね６と、キー挿入孔に挿入されキーコード穴を有したキー１０と、を備える。内筒２のキー挿入孔が横断面を円形とした円形孔で形成され、内筒２のキー挿入孔の底部にキーを挿入したときキーの先端が嵌合する被嵌合部２３が設けられ、適正キーを内筒のキー挿入孔に差し込んで回した際、キーの先端の嵌合部１３がキー挿入孔内の被嵌合部２３に嵌合し、被嵌合部を介してキーの回動力が内筒に伝達される。【選択図】図４
2005307553.tif 000002
【特許請求の範囲】
【請求項１】
ラジアル方向に複数のピン孔を有した外筒と、該外筒内に回転可能に挿入され、内側にキー挿入孔を設け、複数のピンタンブラーを挿入するための複数のタンブラー挿入孔をラジアル方向に設けた内筒と、該内筒の該タンブラー挿入孔に挿入される複数のピンタンブラーと、該外筒のピン孔に挿入される複数のドライブピンと、該ピン孔内に挿入され該ドライブピンを内側に付勢するコイルばねと、該キー挿入孔に挿入され、該ピンタンブラーの先端に係合するキーコード穴を有したキーと、を備えたピンタンブラー錠において、
該内筒のキー挿入孔が横断面を円形とした円形孔で形成され、該内筒のキー挿入孔の底部に該キーを挿入したとき該キーの先端が嵌合する被嵌合部が設けられ、適正キーを内筒のキー挿入孔に差し込んで回した際、該キーの先端の嵌合部がキー挿入孔内の被嵌合部に嵌合し、該被嵌合部を介して該キーの回動力が内筒に伝達されることを特徴とするピンタンブラー錠。
【請求項２】
前記キーの挿入部は、前記内筒のキー挿入孔に挿入可能な横断面を円形とした円柱状に形成され、該挿入部の外周の０度相当位置と１８０度相当位置に複数のキーコード穴が同一配列同一形状で軸方向に沿って形成されていることを特徴とする請求項１記載のピンタンブラー錠。
【発明の詳細な説明】
【技術分野】
【０００１】
本発明は、ピンタンブラーを使用したピンタンブラー錠に関し、特に錠が破壊されにくく、不正解錠を効果的に防止することができるピンタンブラー錠に関する。
【背景技術】
【０００２】
ピンタンブラー錠は、一般に、内筒内に複数のピンタンブラーがコイルばね、ドライブピンと共に軸の横断方向に移動可能に収容され、内筒の外側に外筒が被嵌され、適正キーの内筒内への挿入により、ピンタンブラーの先端を外筒側に押すことにより、ドライブピンとピンタンブラーの間をシャーラインに一致させて、解錠を行なう構造である。また、近年のピンタンブラー錠では、不正鍵による不正解錠を防止するために、複数列のピンタンブラーを複数の横断方向に配設し、鍵の複数の腹面にキーコード穴を形成し、それらのキーコード穴に各ピンタンブラーの先端を入れて解錠する構造の錠が、下記特許文献１などで提案されている。
【特許文献１】特開２００２−１８０７１０公報
【発明の開示】
【発明が解決しようとする課題】
【０００３】
しかしながら、この種のピンタンブラー錠は、多数のピンタンブラーを複数の方向に配置することにより、ピッキングなどによる不正解錠を防止することができるものの、構造が複雑化すると共に、部品点数が非常に多くなり、製造コストが増大する課題があり、また、鍵のキーコード穴の摩耗などにより、不適正な状態で、或いは摩耗した鍵によりロータを回動させると、ピンタンブラー或いはドライブピンが破損して、ロータの回転が円滑にできなくなるなどの問題が生じやすいという課題があった。
【０００４】
本発明は、上記の点に鑑みてなされたもので、キーやピンタンブラーなどの摩耗や破損を低減することができ、不正キーによる不正解錠を防止することができるピンタンブラー錠を提供することを目的とする。
【課題を解決するための手段】
【０００５】
上記目的を達成するために、本発明のピンタンブラー錠は、ラジアル方向に複数のピン孔を有した外筒と、該外筒内に回転可能に挿入され、内側にキー挿入孔を設け、複数のピンタンブラーを挿入するための複数のタンブラー挿入孔をラジアル方向に設けた内筒と、該内筒の該タンブラー挿入孔に挿入される複数のピンタンブラーと、該外筒のピン孔に挿入される複数のドライブピンと、該ピン孔内に挿入され該ドライブピンを内側に付勢するコイルばねと、該キー挿入孔に挿入され、該ピンタンブラーの先端に係合するキーコード穴を有したキーと、を備えたピンタンブラー錠において、該内筒のキー挿入孔が横断面を円形とした円形孔で形成され、該内筒のキー挿入孔の底部にキーを挿入したとき該キーの先端が嵌合する被嵌合部が設けられ、適正キーを内筒のキー挿入孔に差し込んで回した際、該キーの先端の嵌合部がキー挿入孔内の被嵌合部に嵌合し、該被嵌合部を介して該キーの回動力が内筒に伝達されることを特徴とする。
【０００６】
ここで、請求項２のように、上記キーの挿入部は、内筒のキー挿入孔に挿入可能な横断面を円形とした円柱状に形成され、該挿入部の外周の０度相当位置と１８０度相当位置に複数のキーコード穴を同一配列同一形状で軸方向に沿って形成することができる。
【発明の効果】
【０００７】
上記構成のピンタンブラー錠は、キーの挿入部が円柱状に形成され、円形のキー挿入孔にキーの挿入部を挿入して解錠操作される。したがって、キーの挿入部の外周面には、複数のキーコード穴が形成され、内筒のキー挿入孔内にピンタンブラーの先端部が突出しているものの、挿入部の外周面は基本的に円周曲面で形成されるため、キーは何れの角度でもキー挿入孔に差し込むことができる。そして、キー挿入孔に差し込んだキーを所定角度位置まで空回りさせ、適正位置まで差し込むと、キーの挿入部の先端の嵌合部が内筒底部の被嵌合部に嵌合し、且つ全てのピンタンブラーがキーのキーコード穴に係合し、ピンタンブラーとドライブピンの境界がシャーラインに揃った状態となり、解錠状態となって、キーと共に内筒が回動可能な状態となる。
【０００８】
また、この錠のキー挿入孔に挿入したキーは、円柱状であるために、適正キーまたは不適正なキーコード穴をもった不適正キーに関わらず、ピンタンブラーがシャーラインに揃わない非解錠状態では、キー挿入孔内で自在に空回りする。したがって、不正なキーコードを持った不正キーを差し込んで、解錠操作した場合であっても、その不正キーはキー挿入孔内で空回りするのみであるから、無理な回動力が内筒やピンに加わることはなく、内筒、ピンタンブラー、キーなどの破損や摩耗を防止することができる。また、キーは何れの角度位置からでもキー挿入孔に差し込むことができるため、使用者は差し込む角度を何ら気にすることなく、キーをキー挿入孔に差し込み、簡単に解錠操作することができる。
【０００９】
さらに、請求項２のように、キーの挿入部の外周に形成するキーコード穴は、挿入部の外周の０度相当位置と１８０度相当位置において、その両側の穴を同じ形状で同じ配列に形成することにより、キーをリバーシブルとして使用することができ、キーを適正解錠位置（角度）から１８０度反転した角度位置に操作した場合でも、つまり２つの反転角度位置で施錠・解錠操作を行うことができる。
【発明を実施するための最良の形態】
【００１０】
以下、本発明の実施の形態を図面に基づいて説明する。図１はピンタンブラー錠の正面図を示し、図３はその斜視図を、図４はその断面図を示している。このピンタンブラー錠は、通常のシリンダ錠型のピンタンブラー錠１の基部に、長尺の円筒１８を連結・固定し、円筒１８内の軸心位置に錠軸１９を配設すると共に、円筒１８の基部内に固定した固定支持部１７に錠軸１９を貫通させ、長尺のシリンダ錠として形成される。
【００１１】
長尺の円筒１８の先端に固定されるピンタンブラー錠１は、図５、図７、図１０の断面図に示すように、ラジアル方向に複数のピン孔３１を有した外筒３と、外筒３内に回転可能に挿入され、内側にキー挿入孔２１を設け、複数のピンタンブラー４を挿入するための複数のタンブラー挿入孔２２をラジアル方向に設けた内筒２と、内筒２のタンブラー挿入孔２２に挿入される複数のピンタンブラー４と、外筒３のピン孔３１に挿入される複数のドライブピン５と、ピン孔３１内に挿入されドライブピン５を内側に付勢するコイルばね６と、を備えて構成される。
【００１２】
内筒２は、図６〜図８に示すように、基本的には底部を閉鎖した有底構造の円筒形に形成され、開口した内筒２の先端にはフランジ部が形成される。また、閉鎖された底部の内側には被嵌合部２３が内側に突設され、キー１０の先端に設けた嵌合部１３がその被嵌合部２３に嵌合可能とされる。また、内筒２のフランジ部より下の円筒部分は、外筒３内に回動可能に挿入可能な外径寸法を有して形成される。さらに、その内筒２の底部の外側に、錠軸嵌合部２４が錠軸１９の先端に嵌合可能に突設されている。さらに、内筒２の側壁部には、合計６個のタンブラー挿入孔２２が穿設されている。
【００１３】
６個のタンブラー挿入孔２２は、図７に示すように、内筒２の両側に、つまり内筒２の正面視で０度（１２時）相当位置と１８０度（６時）相当位置に各々３個ずつ、軸方向に所定の間隔をおいて並設されている。また、図７に示すように、左右両側のタンブラー挿入孔２２は、左右で半ピッチずつずれた位置に配置され、ピンタンブラー４が外側から内側に向けてそれらの挿入孔２２に挿入され、所定の位置で停止するように、挿入孔２２の形状は内側の内径が細くなる形状に形成されている。６本のピンタンブラー４の長さは、キー１０のキーコード穴１２の深さに合わせて長短が設定されている。さらに、内筒２の底部近傍の外周部には、内筒２を外筒３内に固定するためのリテーナ８用の円周溝２５が円周方向に形成される。
【００１４】
外筒３は、図９〜図１２に示すように、円筒形に形成され、その内側には先端側から上記内筒２を挿入して回動可能な内径を有して形成される。外筒３の外周壁部の両側には、つまり正面視で０度相当位置と１８０度相当位置の外壁部に、ピン孔３ａが３個ずつ上記内筒２のタンブラー挿入孔２２に対応した位置に並設されている。
【００１５】
また、図１０に示すように、外筒３の外周部の末端部寄りに円筒１８を固定するために固定ピンを嵌入するための固定ピン用孔３２が穿設されている。また、外筒３内に内筒２を挿入したとき、内筒２を外筒３に対し固定するためのリテーナ８を内筒２の内周溝２５と外筒３の対応箇所に嵌着するために、外筒３の末端部にリテーナ用溝部３３が形成されている。
【００１６】
さらに、図１１に示すように、外筒３の外周部には、３個のピン孔３１の開口縁部に沿って、板状凹部３４が形成され、この板状凹部３４には、各ピン孔３１の外側を閉鎖するように、後述のカバー板７がはめ込まれる。また、外筒３の外周部における基部寄りの部分は、段差部を介して小径となる小径部が形成され、その小径部に長尺の円筒１８の先端が嵌着されるようにしている。図５に示すように、外筒３の各ピン孔３１には、ドライブピン５とコイルばね６が挿入されるが、各ドライブピン５の長さはキーコードに合わせて、つまりキー１０のキーコード穴１２の深さに応じて設定されている。
【００１７】
ピンタンブラー錠１の基部に取り付けられる長尺の円筒１８は、図１、図４に示すように、その末端部に固定支持部１７を嵌着し、円筒１８内の軸心位置に錠軸１９を軸方向に沿って配設して構成される。内側の錠軸１９は固定支持部１７の軸孔に回動可能に貫通され支持され、錠軸１９の先端には、上記内筒２の錠軸嵌合部２４と嵌合連結される連結部が形成されている。固定支持部１７には取付用の取付フランジ１６が設けられる。
【００１８】
図２は、上記ピンタンブラー錠１に使用されるキー１０の正面図などを示している。このキー１０は、ピンタンブラー錠１の円形のキー挿入孔２１に挿入可能に、円柱状の挿入部１１を有して形成され、その横断面は基本的に円形である。そして、この円柱状の挿入部１１の外周に、所定の深さのキーコード穴１２が所定の位置に形成されている。それらのキーコード穴１２はディンプル孔として形成され、略球の一部を凹状とした形状つまり浅い凹状球面を有した形状に形成されている。
【００１９】
上記のように構成されたピンタンブラー錠は、製造時などに組み立てる場合、先ず、外筒３の内側に内筒２を正面側から挿入し、リテーナ８をリテーナ用溝部３３と円周溝２５にはめ込み、内筒２を外筒３内に回動可能に装着する。これにより、内筒２は外筒３に対し３６０度何れの方向にも回動可能に装着される。そして、内筒２のタンブラー挿入孔２２と外筒３のピン孔３１を連通させた状態で、タンブラー挿入孔２２とピン孔３１を内にピンタンブラー４、ドライブピン５、及びコイルばね６をピン孔３１側から差し込み、外筒３の板状凹部３４にカバー板７を嵌着して、ピン孔３１を閉鎖する。
【００２０】
そして、上記のように組み付けられたピンタンブラー錠１の外筒３の基部には、図４に示すように、長尺の円筒１８が嵌着される。この円筒１８は、外筒３の基部の小径部にはめ込まれ、その内側の錠軸１９の先端を内筒２の末端の錠軸嵌合部２４に嵌合させ、この状態で、円筒１８の嵌合部の外側から固定ピンを固定ピン用孔３２に圧入し、円筒１８を外筒３の外周部に対し固定する。これで、ピンタンブラー錠１のロータとなる内筒２が円筒１８内の錠軸１９と連結され、ピンタンブラー錠１の内筒２の回動により錠軸１９の回動が可能となる。
【００２１】
このような長尺の円筒１８と錠軸１９に連結してピンタンブラー錠１を取り付けた錠装置は、例えば、スロットマシン等のゲーム機の扉の施錠装置に使用され、その錠軸１９の突出先端には図示しないカムが固定され、カムは回転して解錠動作するように施錠装置の他の部材に連係される。
【００２２】
適正なキー１０をピンタンブラー錠１のキー挿入孔２１に差し込むとキー１０の先端の嵌合部１３が内筒２の底部の被嵌合部２３に嵌合し、キー１０の挿入部１１のキーコード穴１２が対応したピンタンブラー４の先端に当たり、ピンタンブラー４が内筒２のタンブラー挿入孔２２を移動する。これにより全てのピンタンブラー４とドライブピン５の境界がシャーラインつまり内筒２の外周面と外筒３の内周面に一致し、図１３に示すような解錠状態となり、キー１０と共に内筒２を任意の方向に回して解錠または施錠操作することができる。
【００２３】
上記のように、キー１０をキー挿入孔２１に差し込む場合、従来のキーであれば、所定の角度位置にキーの先端挿入部を合わせて、キー挿入孔に差し込む必要があったが、本キー１０の挿入部１１は円形断面の円柱状であり、内筒２のキー挿入孔２２も円形であるため、何れの角度位置であっても、キー１０を錠１のキー挿入孔２１内に差し込むことができる。
【００２４】
そして、キー挿入孔２１に差し込んだ状態のキー１０においては、キー挿入孔２１内に突出するピンタンブラー４の先端がキー１０の挿入部１１やキーコード穴１２に当接するが、挿入部１１は円柱状であり、その外周面に設けられたコード穴１２は浅い凹面状に形成されるため、キー１０はピンタンブラー４の先端をコード穴１２から周方向に外して自在に回動可能である。
【００２５】
したがって、任意の角度位置からキー１０をキー挿入孔２１に差し込み、例えば右に回しながらキー１０を挿入孔２１内に押し込むように操作すると、所定の適正な角度位置にキー１０が達したとき、その先端の嵌合部１３と内筒２(挿入孔２１)内の被嵌合部２３とが正しく嵌合し、その位置で全てのピンタンブラー４の先端が適正なキー１０のキーコード穴１２に当接する。これにより、全てのピンタンブラー４とドライブピン５との間のシャーラインが一致し、解錠状態となる。
【００２６】
この状態で、キー１０を回して内筒２を回すと、内筒２に連結された錠軸１９が回動し、解錠或いは施錠動作が行われる。解錠状態で所定の角度位置から内筒２を回動させた状態で、ピンタンブラー４はドライブピン５から離れているため、タンブラー挿入孔２２内で移動することができず、ピンタンブラー４の先端がキー１０のキーコード穴１２に嵌合した状態が保持され、この状態では、キー１０を内筒２内から引き抜くことはできない。
【００２７】
したがって、従来のキーと同様に、キー１０を引き抜く場合は、適正な解錠位置（ピンタンブラー４とドライブピン５の角度位置が一致して接触する位置）に回した状態で、キー１０を引き抜くことになる。このようなキー１０の引き抜き可能な位置は、上記のようにピンタンブラー４の挿入孔２２とドライブピン５のピン孔３１が連通してピンタンブラー４またはドライブピン５が動く位置であるから、その感触がキー１０から使用者の手に伝わり、キー１０を引き抜く角度位置は容易に認識することができる。また、最初、キー１０を挿入孔２１にランダム角度で差し込んだ際にも、キー１０を適当な位置まで差し込んで回すと、キーコード穴１２がピンタンブラー４の先端に一致した角度で、ピンタンブラー４が動くために、そのようなランダムな角度位置で挿入した後の解錠角度位置は、使用者が容易に認識することができる。
【００２８】
なお、図２に示すキー１０の場合、キーの挿入部２１の外周に形成したキーコード穴１２は、挿入部２１の両側、つまり外周の０度相当位置と１８０度相当位置において、その両側の穴が同じ配列で同じ形状に形成されている。したがって、キーをリバーシブルとして操作することができ、キーを適正解錠位置（角度）から１８０度反転した角度位置に操作した場合でも、施錠・解錠操作を行うことができる。
【００２９】
一方、不適正なキーコード穴を持ったキーを挿入孔２１に差し込んだ場合、仮にそのキーの先端に嵌合部が形成されており、その嵌合部が内筒２側の被嵌合部２３と嵌合した場合であっても、全てのピンタンブラー４とドライブピン５が適正な位置に移動しない場合（シャーラインが一致しない場合）は、内筒２が回動せず、解錠は不可能となる。
【００３０】
また、仮に全てのピンタンブラー４とドライブピン５を適正な位置に移動できたとしても、キーの先端を内筒２内の被嵌合部２３に嵌合させる状態にならない場合は、キーによって錠軸１９を回動することができないから、解錠は不可能となる。つまり、このピンタンブラー錠１は、適正なキー１０を差し込んだ場合であっても、また、不適正なキーを差し込んだ場合であっても、キー１０を適正な位置まで押し込んでキー１０の先端を内筒２内の被嵌合部２３に嵌合させない状態では、キー１０は内筒２内で空回りし、解錠操作を行うことができない。
【００３１】
したがって、キー１０のキーコード穴の適合と、キー先端の嵌合部の嵌合の両方の条件を満足して、解錠されるため、不正なキーによる不正解錠を効果的に防止することができる。さらに、不適正なキーなどで無理やり解錠操作しようとしても、キーが空回りするのみであるから、ピンタンブラー４やドライブピン５などの破損や摩耗を防止することができる。また、上記のように、円柱状の挿入部１１を持つキー１０を円形のキー挿入孔２１に差し込んで使用するため、従来のキーのように、所定の角度位置に合わせてキー穴にキーを差し込む必要がなく、ランダムな角度で容易にキー１０を挿入孔２１に差し込み、そして解錠操作することができ、今までにない利便性を生み出すことができる。
【００３２】
以上説明したように、本発明のピンタンブラー錠によれば、キー挿入孔に挿入するキーの挿入部が円柱状であって、円形のキー挿入孔に差し込んで使用するため、適正キーまたは不適正なキーコード穴をもった不適正キーに関わらず、ピンタンブラーがシャーラインに揃わない非解錠状態では、キー挿入孔内で自在に空回りするから、仮に、不正なキーコードを持った不正キーを差し込んで、解錠操作した場合であっても、その不正キーはキー挿入孔内で空回りするのみであり、無理な回動力がピンタンブラー、ドライブピン、或いは内筒に加わることはなく、内筒、ピンタンブラー、キーなどの破損や摩耗を防止することができる。さらに、キーの先端の嵌合部と錠の内筒内の被嵌合部が正確に嵌合し、且つ全てのピンタンブラーが適正なキーのキーコード穴に接触したときにのみ、解錠状態となるため、より高い確率で不正解錠を防止することができる。
【図面の簡単な説明】
【００３３】
【図１】本発明の一実施形態を示すピンタンブラー錠の正面図である。
【図２】（ａ）はキーの正面図、（ｂ）は同左側面図、（ｃ）は同平面図である。
【図３】ピンタンブラー錠の斜視図である。
【図４】同ピンタンブラー錠の軸方向に沿った断面図である。
【図５】ピンタンブラー錠１の断面図である。
【図６】内筒２の正面図である。
【図７】内筒２の中央断面図である。
【図８】内筒２の右側面図である。
【図９】外筒３の正面図である。
【図１０】外筒３の中央断面（図９のX-X線断面）図である。
【図１１】外筒３の右側面図である。
【図１２】図１１のXII-XII線断面図である。
【図１３】キー１０をピンタンブラー錠に挿入した解錠時の断面図である。
【符号の説明】
【００３４】
１−ピンタンブラー錠
２−内筒
３−外筒
４−ピンタンブラー
５−ドライブピン
６−コイルばね
１０−キー
１１−挿入部
１２−キーコード穴
１３−嵌合部
２１−キー挿入孔
２２−タンブラー挿入孔
２３−被嵌合部
【図１】
2005307553.tif 000003
【図２】
2005307553.tif 000004
【図３】
2005307553.tif 000005
【図４】
2005307553.tif 000006
【図５】
2005307553.tif 000007
【図６】
2005307553.tif 000008
【図７】
2005307553.tif 000009
【図８】
2005307553.tif 000010
【図９】
2005307553.tif 000011
【図１０】
2005307553.tif 000012
【図１１】
2005307553.tif 000013
【図１２】
2005307553.tif 000014
【図１３】
2005307553.tif 000015